(57)【要約】【課題】表示画像全体の見栄えの悪化を抑制する。【解決手段】表示制御装置１００は、第１画像を示す第１画像データと第２画像を示す第２画像データとを受信する通信部１０４と、第１画像データの伝送品質と第２画像データの伝送品質とに基づいて表示画像において第１画像を表示する第１領域と表示画像において第２画像を表示する第２領域とを設定する領域設定部１０８とを含む。【選択図】図１
2017151184.tif 000002
【特許請求の範囲】
【請求項１】
第１画像を示す第１画像データと、第２画像を示す第２画像データと、を受信する受信部と、
前記第１画像データの伝送品質と、前記第２画像データの伝送品質と、に基づいて、表示画像において前記第１画像を表示する第１領域と、前記表示画像において前記第２画像を表示する第２領域と、を設定する領域設定部と、
を含むことを特徴とする表示制御装置。
【請求項２】
前記領域設定部は、
前記第１画像データに関する、伝送品質を示すパラメーターとしての、電波強度、パケット再送率、パケットエラー率およびデコードエラー率のうち、少なくとも１つに基づいて、前記第１画像の表示に関する優先度を示す第１優先度係数を導出し、
前記第２画像データに関する、前記第１優先度係数の導出に用いるパラメーターと同じ種類のパラメーターに基づいて、前記第２画像の表示に関する優先度を示す第２優先度係数を導出し、
前記第１優先度係数と前記第２優先度係数とに基づいて、前記第１領域と前記第２領域とを設定する、
ことを特徴とする請求項１に記載の表示制御装置。
【請求項３】
前記領域設定部は、前記第１画像データの伝送品質および前記第１画像の画像品質と、前記第２画像データの伝送品質および前記第２画像の画像品質と、に基づいて、前記第１領域と前記第２領域とを設定する、
ことを特徴とする請求項１に記載の表示制御装置。
【請求項４】
前記領域設定部は、
前記第１優先度係数を、前記第１画像データに関する前記伝送品質を示すパラメーターのうち少なくとも１つと、前記第１画像に関する、画像品質を示すパラメーターとしての総画素数、フレームレートおよびビットレートのうち少なくとも１つと、に基づいて導出し、
前記第２優先度係数を、前記第２画像データおよび前記第２画像に関する、前記第１優先度係数の導出に用いるパラメーターと同じ種類のパラメーターに基づいて導出する、
ことを特徴とする請求項２に記載の表示制御装置。
【請求項５】
前記領域設定部は、少なくとも前記第１画像データの電波強度に基づいて前記第１優先度係数を導出し、
前記受信部は、
有線通信で前記第１画像データを受信した場合には、前記第１画像データの電波強度として、前記電波強度に関する既定値を設定し、
前記有線通信で前記第２画像データを受信した場合には、前記第２画像データの電波強度として、前記既定値を設定する、
ことを特徴とする請求項２または４に記載の表示制御装置
【請求項６】
前記領域設定部は、少なくとも前記第１画像データのパケットエラー率に基づいて前記第１優先度係数を導出し、
前記受信部は、
前記第１画像データの通信プロトコルがＴＣＰである場合には、前記第１画像データのパケットエラー率として、前記パケットエラー率に関する既定の最小値を設定し、
前記第２画像データの通信プロトコルが前記ＴＣＰである場合には、前記第２画像データのパケットエラー率として、前記パケットエラー率に関する既定の最小値を設定する、
ことを特徴とする請求項２、４または５に記載の表示制御装置。
【請求項７】
前記領域設定部は、少なくとも前記第１画像データのパケット再送率に基づいて前記第１優先度係数を導出し、
前記受信部は、
前記第１画像データの通信プロトコルがＵＤＰである場合には、前記第１画像データのパケット再送率として、前記パケット再送率に関する既定の最小値を設定し、
前記第２画像データの通信プロトコルが前記ＵＤＰである場合、前記第２画像データのパケット再送率として、前記パケット再送率に関する既定の最小値を設定する、
ことを特徴とする請求項２、４、５または６に記載の表示制御装置。
【請求項８】
前記第１優先度係数は、前記第１画像データの伝送品質が高いほど大きく、
前記第２優先度係数は、前記第２画像データの伝送品質が高いなるほど大きく、
前記領域設定部は、前記第１優先度係数が前記第２優先度係数よりも大きい場合には、前記第１領域を前記第２領域よりも大きくする、
ことを特徴とする請求項２、４、５、６または７に記載の表示制御装置。
【請求項９】
前記第１優先度係数は、前記第１画像データの伝送品質が高いほど大きく、
前記第２優先度係数は、前記第２画像データの伝送品質が高いなるほど大きく、
前記領域設定部は、前記第１優先度係数が前記第２優先度係数よりも大きい場合には、前記第１領域の大きさを、前記第１画像をＭ（Ｍは正数）倍した画像の大きさに設定し、前記第２領域の大きさを、前記第２画像をＮ（ＮはＭより小さい正数）倍した画像の大きさに設定する、
ことを特徴とする請求項２、４、５、６または７に記載の表示制御装置。
【請求項１０】
前記領域設定部は、前記表示画像において予め設定された第３領域と、前記表示画像において予め設定されかつ前記第３領域とは面積が異なる第４領域と、のうち、一方を前記第１領域として設定し他方を前記第２領域として設定する設定処理を、前記第１優先度係数と前記第２優先度係数とに基づいて行う、
ことを特徴とする請求項２、４、５、６、７、８または９に記載の表示制御装置。
【請求項１１】
前記領域設定部は、
前記第１優先度係数と前記第２優先度係数との大きさに関する順位と、前記第３領域および前記第４領域と、の関係を定めたテーブルを用いて、前記設定処理を行う、
ことを特徴とする請求項１０に記載の表示制御装置。
【請求項１２】
請求項１から１１のいずれか１項に記載の表示制御装置を含む、
ことを特徴とする表示装置。
【請求項１３】
表示制御装置が行う表示制御方法であって、
第１画像を示す第１画像データと、第２画像を示す第２画像データと、を受信し、
前記第１画像データの伝送品質と、前記第２画像データの伝送品質と、に基づいて、表示画像において前記第１画像を表示する第１領域と、前記表示画像において前記第２画像を表示する第２領域と、を設定する、
ことを特徴とする表示制御方法。
【発明の詳細な説明】
【技術分野】
【０００１】
本発明は、表示制御装置、表示装置および表示制御方法に関する。
【背景技術】
【０００２】
ＰＣ（パーソナルコンピューター）等の各画像出力装置から出力された画像データに対応する画像を投射面に同時に並べて表示するプロジェクターが知られている。例えば特許文献１には、ＰＣ１１〜１４の各々がプロジェクターに対して画像データを送信し、プロジェクターが、ＰＣ１１〜１４から受信した４つの画像データによって表される４つの画像を同時に表示するシステムが開示されている。
このようなプロジェクターは、表示画像内に、形状および大きさの等しい複数の分割領域を予め決められた位置関係で設定し、各分割領域に１つの画像を表示することで複数の画像を同時に表示する。
【先行技術文献】
【特許文献】
【０００３】
【特許文献１】特開２０１３−１１３９３６号公報
【発明の概要】
【発明が解決しようとする課題】
【０００４】
上述したプロジェクターでは、画像データの伝送品質に関わらず、分割領域の形状および大きさと分割領域の表示画像内での位置関係とが予め決まっている。
よって、上述したプロジェクターは、画像データの伝送品質が他の画像データの伝送品質よりも低いために他の画像よりも実際の画像品質が低くなった画像を、他の画像と同程度のサイズで、予め決められた他の画像との位置関係で表示してしまう。このため、表示画像全体の見栄えが悪化するという問題が生じてしまう。
【０００５】
本発明は上述した事情に鑑みてなされたものであり、表示画像全体の見栄えの悪化を抑制することを解決課題とする。
【課題を解決するための手段】
【０００６】
本発明の表示制御装置の一態様は、第１画像を示す第１画像データと、第２画像を示す第２画像データと、を受信する受信部と、前記第１画像データの伝送品質と、前記第２画像データの伝送品質と、に基づいて、表示画像において前記第１画像を表示する第１領域と、前記表示画像において前記第２画像を表示する第２領域と、を設定する領域設定部と、を含むことを特徴とする。
この態様によれば、第１画像データの伝送品質と、第２画像データの伝送品質と、に基づいて、第１領域と第２領域とを変更可能になる。このため、例えば、第１画像と第２画像のうち伝送品質の悪い方の画像が伝送品質のよい方の画像よりも目立たなくなるように、第１領域と第２領域を設定できる。よって、画像データの伝送品質に関わらず、表示画像内での第１画像および第２画像の形状、大きさおよび位置関係が変わらない場合に比べて、表示画像全体の見栄えの悪化を抑制可能になる。
【０００７】
上述した表示制御装置の一態様において、前記領域設定部は、前記第１画像データに関する、伝送品質を示すパラメーターとしての、電波強度、パケット再送率、パケットエラー率およびデコードエラー率のうち、少なくとも１つに基づいて、前記第１画像の表示に関する優先度を示す第１優先度係数を導出し、前記第２画像データに関する、前記第１優先度係数の導出に用いるパラメーターと同じ種類のパラメーターに基づいて、前記第２画像の表示に関する優先度を示す第２優先度係数を導出し、前記第１優先度係数と前記第２優先度係数とに基づいて、前記第１領域と前記第２領域とを設定することが望ましい。
この態様によれば、伝送品質に関するパラメーターに基づいて第１領域と第２領域とを設定可能になる。
【０００８】
上述した表示制御装置の一態様において、前記領域設定部は、前記第１画像データの伝送品質および前記第１画像の画像品質と、前記第２画像データの伝送品質および前記第２画像の画像品質と、に基づいて、前記第１領域と前記第２領域とを設定することが望ましい。
この態様によれば、例えば、第１画像データと第２画像データとの間で伝送品質に差がない場合、第１画像の画像品質と第２画像の画像品質とに応じて、第１領域と第２領域とを変更可能になる。このため、例えば、第１画像データと第２画像データとの間で伝送品質に差がなくても、第１画像と第２画像のうち画像品質の悪い方の画像が画像品質のよい方の画像よりも目立たなくなるように、第１領域と第２領域を設定でき、表示画像全体の見栄えの悪化を抑制可能になる。
【０００９】
上述した表示制御装置の一態様において、前記領域設定部は、前記第１優先度係数を、前記第１画像データに関する前記伝送品質を示すパラメーターのうち少なくとも１つと、前記第１画像に関する、画像品質を示すパラメーターとしての総画素数、フレームレートおよびビットレートのうち少なくとも１つと、に基づいて導出し、前記第２優先度係数を、前記第２画像データおよび前記第２画像に関する、前記第１優先度係数の導出に用いるパラメーターと同じ種類のパラメーターに基づいて導出することが望ましい。
この態様によれば、伝送品質に関するパラメーターと画像品質に関するパラメーターとに基づいて第１領域と第２領域とを設定可能になる。
【００１０】
上述した表示制御装置の一態様において、前記領域設定部は、少なくとも前記第１画像データの電波強度に基づいて前記第１優先度係数を導出し、前記受信部は、有線通信で前記第１画像データを受信した場合には、前記第１画像データの電波強度として、前記電波強度に関する既定値を設定し、前記有線通信で前記第２画像データを受信した場合には、前記第２画像データの電波強度として、前記既定値を設定することが望ましい。
この態様によれば、有線通信で受信された画像データについても電波強度を設定可能になる。
【００１１】
上述した表示制御装置の一態様において、前記領域設定部は、少なくとも前記第１画像データのパケットエラー率に基づいて前記第１優先度係数を導出し、前記受信部は、前記第１画像データの通信プロトコルがＴＣＰである場合には、前記第１画像データのパケットエラー率として、前記パケットエラー率に関する既定の最小値を設定し、前記第２画像データの通信プロトコルが前記ＴＣＰである場合には、前記第２画像データのパケットエラー率として、前記パケットエラー率に関する既定の最小値を設定することが望ましい。
画像データの通信プロトコルがＴＣＰである場合、画像データについてエラー制御（再送制御）が実行されるため、本態様のように、画像データのパケットエラー率として、既定の最小値を用いることが可能になる。よって、本態様によれば、画像データの通信プロトコルがＴＣＰである場合、画像データのパケットエラー率についての実際の計測を省略できる。
【００１２】
上述した表示制御装置の一態様において、前記領域設定部は、少なくとも前記第１画像データのパケット再送率に基づいて前記第１優先度係数を導出し、前記受信部は、前記第１画像データの通信プロトコルがＵＤＰである場合には、前記第１画像データのパケット再送率として、前記パケット再送率に関する既定の最小値を設定し、前記第２画像データの通信プロトコルが前記ＵＤＰである場合、前記第２画像データのパケット再送率として、前記パケット再送率に関する既定の最小値を設定することが望ましい。
画像データの通信プロトコルがＵＤＰである場合、画像データのパケットが受信されなくても画像データのパケット再送は行われないため、本態様のように、画像データのパケット再送率として、既定の最大値を用いることが可能になる。よって、本態様によれば、画像データの通信プロトコルがＵＤＰである場合、画像データのパケット再送率についての実際の計測を省略できる。
【００１３】
上述した表示制御装置の一態様において、前記第１優先度係数は、前記第１画像データの伝送品質が高いほど大きく、前記第２優先度係数は、前記第２画像データの伝送品質が高いなるほど大きく、前記領域設定部は、前記第１優先度係数が前記第２優先度係数よりも大きい場合には、前記第１領域を前記第２領域よりも大きくすることが望ましい。
本態様によれば、第１画像と第２画像のうち、画像データの伝送品質が高い方の画像を画像データの伝送品質の低い方の画像よりも大きく表示できる。よって、画像データの伝送品質に関わらず、表示画像内での第１画像と第２画像の形状、大きさおよび位置関係が変わらない場合に比べて、表示画像全体の見栄えの悪化を抑制可能になる。
【００１４】
上述した表示制御装置の一態様において、前記第１優先度係数は、前記第１画像データの伝送品質が高いほど大きく、前記第２優先度係数は、前記第２画像データの伝送品質が高いなるほど大きく、前記領域設定部は、前記第１優先度係数が前記第２優先度係数よりも大きい場合には、前記第１領域の大きさを、前記第１画像をＭ（Ｍは整数）倍した画像の大きさに設定し、前記第２領域の大きさを、前記第２画像をＮ（ＮはＭより小さい整数）倍した画像の大きさに設定することが望ましい。
本態様によれば、第１画像と第２画像のうち、画像データの伝送品質が高い方の画像を画像データの伝送品質の低い方の画像よりも大きな拡大率で表示できる。よって、画像データの伝送品質に関わらず、表示画像内での第１画像と第２画像の形状、大きさおよび位置関係が変わらない場合に比べて、表示画像全体の見栄えの悪化を抑制可能になる。
【００１５】
上述した表示制御装置の一態様において、前記領域設定部は、前記表示画像において予め設定された第３領域と、前記表示画像において予め設定されかつ前記第３領域とは面積が異なる第４領域と、のうち、一方を前記第１領域として設定し他方を前記第２領域として設定する設定処理を、前記第１優先度係数と前記第２優先度係数とに基づいて行うことが望ましい。
本態様によれば、第１画像と第２画像とを表示するための、面積の異なる２つの領域（第３領域と第４領域）が、表示画像内に予め設定される。このため、第１領域と第２領域の設定が容易になる。
【００１６】
上述した表示制御装置の一態様において、前記領域設定部は、前記第１優先度係数と前記第２優先度係数との大きさに関する順位と、前記第３領域および前記第４領域と、の関係を定めたテーブルを用いて、前記設定処理を行うことが望ましい。
本態様によれば、テーブルを用いて設定処理を行うので、例えばテーブルに示された関係を演算によって求める場合に比べて設定処理を容易に行うことができる。
【００１７】
本発明の表示装置の一態様は、上記表示制御装置を含む。
この態様によれば、上記表示制御装置を含むので表示画像全体の見栄えの悪化を抑制可能になる。
【００１８】
本発明の表示領域設定方法の一態様は、表示制御装置が行う表示制御方法であって、第１画像を示す第１画像データと、第２画像を示す第２画像データと、を受信し、前記第１画像データの伝送品質と、前記第２画像データの伝送品質と、に基づいて、表示画像において前記第１画像を表示する第１領域と、前記表示画像において前記第２画像を表示する第２領域と、を設定することを特徴とする。
本態様によれば、第１画像データの伝送品質と、第２画像データの伝送品質と、に基づいて、第１領域と第２領域とを変更可能になる。このため、例えば、第１画像と第２画像のうち伝送品質の悪い方の画像が伝送品質のよい方の画像よりも目立たなくなるように、第１領域と第２領域を設定できる。よって、画像データの伝送品質に関わらず、表示画像内での第１画像と第２画像の形状、大きさおよび位置関係が変わらない場合に比べて、表示画像全体の見栄えの悪化を抑制可能になる。
【図面の簡単な説明】
【００１９】
【図１】本発明の第１実施形態に係るプロジェクター１１を示すブロック図である。
【図２】投射部３０の一例を示した図である。
【図３】表示画像SC-bの生成動作を説明するためのフローチャートである。
【図４】基準画像SC-aの一例を示した図である。
【図５】第１画像MO1aの一例を示した図である。
【図６】第２画像MO2aの一例を示した図である。
【図７】ステップＳ３１３の一例を説明するためのフローチャートである。
【図８】表示画像SC-bの一例を示した図である。
【図９】表示画像SC-bの他の例を示した図である。
【図１０】表示画像SC-bのさらに他の例を示した図である。
【図１１】表示画像SC-bのさらに他の例を示した図である。
【図１２】図８に示した表示画像SC-bを変形した例である。
【図１３】図１１に示した表示画像SC-bを変形した例である。
【図１４】領域R3と領域R4との一例を示した図である。
【図１５】本発明の第２実施形態に係るプロジェクター１１Ａを示すブロック図である。
【図１６】テーブルＴａの一例を示した図である。
【発明を実施するための形態】
【００２０】
＜第１実施形態＞
図１は、本発明を適用した表示装置の第１実施形態に係るプロジェクター１１を示すブロック図である。
＜プロジェクター１１の概要＞
まず、プロジェクター１１の概要について説明する。
プロジェクター１１は、複数のＰＣ１２（図１では、ＰＣ１２ａおよび１２ｂ）と、通信ネットワーク１３を介して接続されている。
【００２１】
ＰＣ１２ａは、第１画像MO1を示す第１画像データを、パケットを用いてプロジェクター１１に送信する。ＰＣ１２ｂは、第２画像MO2を示す第２画像データを、パケットを用いてプロジェクター１１に送信する。
第１画像データおよび第２画像データは、画像品質に関する複数のパラメーター（縦画素数、横画素数、フレームレートおよびビットレート）を有している。ここで「画像品質」とは、画像の品質（画質）を意味し、例えば、縦画素数や横画素数が多くなるほど高くなり、フレームレートまたはビットレートが高くなるほど高くなる。
なお、プロジェクター１１が受信する画像データの実際のフレームレートおよびビットレートは、画像データの伝送品質に応じて（例えばノイズ等に応じて）、画像データのパラメーターに示されたフレームレートやビットレートよりも低下する可能性がある。ここで、「伝送品質」とは、データ伝送の品質を意味し、例えば、データ伝送でのエラーの発生が少ないほど高くなる。
第１画像データおよび第２画像データは、圧縮された状態で出力される。
【００２２】
通信ネットワーク１３は、有線や無線通信回線により構成されるＬＡＮ（Local Area Network）等の双方向通信可能なネットワークである。通信ネットワーク１３は、ＰＣ１２ａとＰＣ１２ｂとプロジェクター１１とを相互に通信可能に接続する。
【００２３】
プロジェクター１１は、ＰＣ１２ａから出力された第１画像データと、ＰＣ１２ｂから出力された第２画像データと、を受信する。
プロジェクター１１は、例えば、第１画像データが示す第１画像MO1と第２画像データが示す第２画像MO2とを同時に表す表示画像（以下、単に「表示画像」とも称する）SC-bを投射面ＳＣに投射して表示する。
【００２４】
＜プロジェクター１１の詳細＞
次に、プロジェクター１１の詳細について説明する。
プロジェクター１１は、光学的な画像の形成を行う投射部３０と、入力された画像データに応じて投射部３０を駆動する表示制御装置１００と、を備えている。
【００２５】
＜投射部３０＞
投射部３０は、照明光学系３１と、照明光学系３１が発した光を変調する光変調装置３２と、投射光学系３３と、を含む。投射部３０は、表示部として機能する。図２は、投射部３０の一例を示した図である。
【００２６】
照明光学系３１は、キセノンランプ、超高圧水銀ランプ、ＬＥＤ（Light Emitting Diode）等からなる光源３１ａを備えている。また、照明光学系３１は、光源３１ａが発した光を光変調装置３２に導くリフレクター３１ｂおよび補助リフレクター（不図示）を備えている。
【００２７】
図１に示した光変調装置３２は、例えば透過型液晶パネルを備えて構成される。光変調装置３２は、この液晶パネルを表示制御装置１００からの表示用駆動信号を用いて駆動することで、照明光学系３１から出力された光を変調して画像を形成する。
光変調装置３２は、カラーの投影を行うため、図２に示すように、ＲＧＢの三原色に対応した３枚の液晶パネル３２Ｒ、３２Ｇおよび３２Ｂを備えている。光源３１ａが発した光は、分離光学系４０によって、ＲＧＢの３色の色光に分離される。
分離光学系４０は、ダイクロイックミラー４０ａおよび４０ｂと、ミラー４０ｃ、４０ｄおよび４０ｅと、を備えている。ダイクロイックミラー４０ａは、光源３１ａが発した光のうち赤色光を反射し他の色光を透過する。ダイクロイックミラー４０ｂは、ダイクロイックミラー４０ａが透過した光のうち緑色光を液晶パネル３２Ｇに向けて反射し他の色光（この場合、青色光）を透過する。ミラー４０ｃは、ダイクロイックミラー４０ａが反射した赤色光を液晶パネル３２Ｒへ向けて反射する。ミラー４０ｄは、ダイクロイックミラー４０ｂが透過した青色光を反射する。ミラー４０ｅは、ミラー４０ｄが反射した青色光を液晶パネル３２Ｂに向けて反射する。
３色の色光は、それぞれ、液晶パネル３２Ｒ、３２Ｇ、３２Ｂを通過する際に変調される。変調された各色光は、クロスダイクロイックプリズム等の合成光学系３４によって合成され、投射光学系３３に射出される。
【００２８】
投射光学系３３は、投射される画像の拡大・縮小および焦点の調整を行うズームレンズ、ズームレンズを駆動してズームの度合いを調整するズーム調整用モーター（不図示）およびフォーカスの調整を行うフォーカス調整用モーター（不図示）等を備えている。投射光学系３３は、光変調装置３２で変調された光（画像）を、ズームレンズを用いて投射面ＳＣ上に投射して表示する。
【００２９】
図１に示したように、投射部３０には、制御部１０７の制御に従って投射光学系３３が備える各モーターを駆動する投射光学系駆動部１１１、および、制御部１０７の制御に従って照明光学系３１が備える光源３１ａを駆動する光源駆動部１１２が接続されている。
【００３０】
＜表示制御装置１００＞
表示制御装置１００は、リモコン受光部１０１と、操作パネル１０２と、入力処理部１０３と、通信部１０４と、バッファー部１０５と、記憶部１０６と、制御部１０７と、領域設定部１０８と、フレームメモリー１０９と、光変調装置駆動部１１０と、上述した投射光学系駆動部１１１と、上述した光源駆動部１１２と、ユーザーが使用するリモコン（不図示）を有する。
【００３１】
リモコンは、２つの画像を１つの画像内で同時に表示することを指示する同時表示指示ボタンや、他の種々のボタンを備えている。リモコンは、これらのボタンへの操作に応じて赤外線信号を送信する。
リモコン受光部１０１は、リモコンが発する赤外線信号を受光する。リモコン受光部１０１は、リモコンから受光した赤外線信号をデコードして、リモコンでの操作内容を示す操作信号を生成する。リモコン受光部１０１は、その操作信号を、入力処理部１０３に出力する。
操作パネル１０２は、ユーザーが操作を行うための各種スイッチを備えている。操作パネル１０２も、リモコンと同様に同時表示指示ボタンを備えている。操作パネル１０２は、入力処理部１０３に接続されている。
入力処理部１０３は、リモコン受光部１０１または操作パネル１０２を介して、ユーザーの操作を検出する。入力処理部１０３は、リモコン受光部１０１から受信した操作信号を、制御部１０７に出力する。また、入力処理部１０３は、操作パネル１０２のスイッチが操作された場合、操作されたスイッチに対応する操作信号を制御部１０７に出力する。
【００３２】
通信部１０４は、受信部の一例である。
通信部１０４は、ＰＣ１２ａやＰＣ１２ｂと有線通信または無線通信を行う。例えば、通信部１０４は、ＰＣ１２ａから出力された第１画像データと、ＰＣ１２ｂから出力された第２画像データとを、有線通信または無線通信で受信する。
通信部１０４は、第１画像データおよび第２画像データの各々について、伝送品質に関する複数のパラメーター（電波強度、パケット再送率、パケットエラー率およびデコードエラー率）を特定する。
また、第１画像データおよび第２画像データは圧縮された状態で通信されるため、通信部１０４は、第１画像データおよび第２画像データを伸張するデコード処理を実行する。通信部１０４は、デコードされた第１画像データおよび第２画像データを、領域設定部１０８に出力する。以下、圧縮された状態の第１画像データおよび第２画像データを、それぞれ、「圧縮第１画像データ」、「圧縮第２画像データ」と称し、デコード後の第１画像データおよび第２画像データを、それぞれ、単に「第１画像データ」、「第２画像データ」と称する。
【００３３】
バッファー部１０５は、第１画像データおよび第２画像データを一時的に格納する。バッファー部１０５には、第１画像データと第２画像データとを送信元別に格納するための複数の画像バッファー１０５Ａが設けられている。本実施形態では、ＰＣ１２ａに対応する画像バッファー１０５Ａ−ａと、ＰＣ１２ｂに対応する画像バッファー１０５Ａ−ｂが設けられている。なお、画像バッファー１０５Ａは、バッファー部１０５の一つの記憶領域を仮想的に分割したものであってもよい。画像バッファー１０５Ａの数は任意であるが、表示画像SC-bに含まれる画像の数（本実施形態では、第１画像MO1と第２画像MO2との２個）以上の画像バッファー１０５Ａが設けられることが好ましい。
【００３４】
記憶部１０６は、制御部１０７が処理するデータや制御部１０７が実行する制御プログラム１０６Ａを記憶する。
制御部１０７は、制御プログラム１０６Ａを読み出して実行することにより、プロジェクター１１の各部を制御する。
制御部１０７は、入力処理部１０３から入力される操作信号に基づいて、ユーザーが行った操作の内容を検出する。制御部１０７は、この操作に応じて領域設定部１０８、投射光学系駆動部１１１および光源駆動部１１２を制御する。
例えば、制御部１０７は、同時表示指示ボタンの操作に応じて、領域設定部１０８、投射光学系駆動部１１１および光源駆動部１１２を制御することによって、表示画像SC-bを投射面ＳＣに投射する動作を制御する。
また、制御部１０７は、表示画像SC-bを示す表示画像データを画像バッファー１０５Ａ内の画像データ（第１画像データと第２画像データ）を用いて生成する動作を、領域設定部１０８に実行させる。領域設定部１０８は、表示画像データを光変調装置駆動部１１０に出力する。
【００３５】
領域設定部１０８は、通信部１０４がデコードした画像データ（第１画像データおよび第２画像データ）をその送信元に対応する画像バッファー１０５Ａに格納する。また、領域設定部１０８は、フレームメモリー１０９を使って第１画像データおよび第２画像データを処理して、表示画像SC-bを示す表示画像データを生成する。なお、フレームメモリー１０９は、フレーム単位で表示画像SC-bを一時的に格納する。
【００３６】
領域設定部１０８は、第１画像データの伝送品質と第２画像データの伝送品質とに基づいて、表示画像SC-bにおいて第１画像MO1を表示する第１領域R1と、表示画像SC-bにおいて第２画像MO2を表示する第２領域R2と、を設定する。
本実施形態では、領域設定部１０８は、第１画像データの伝送品質および第１画像MO1の画像品質と、第２画像データの伝送品質および第２画像MO2の画像品質と、に基づいて、第１領域R1と第２領域R2とを決定する。
例えば、領域設定部１０８は、第１画像データの伝送品質および第１画像MO1の画像品質に基づいて、第１画像MO1の表示に関する優先度を示す第１優先度係数を導出する。また、領域設定部１０８は、第２画像データの伝送品質および第２画像MO2の画像品質に基づいて、第２画像MO2の表示に関する優先度を示す第２優先度係数を導出する。そして、領域設定部１０８は、第１優先度係数と第２優先度係数とに基づいて、第１領域R1と第２領域R2とを設定する。
【００３７】
領域設定部１０８は、第１画像データの伝送品質として、通信部１０４が特定した第１画像データの伝送品質を示す複数のパラメーター（電波強度、パケット再送率、パケットエラー率およびデコードエラー率）を用いる。
領域設定部１０８は、第２画像データの伝送品質として、通信部１０４が特定した第２画像データの伝送品質を示す複数のパラメーター（電波強度、パケット再送率、パケットエラー率およびデコードエラー率）を用いる。
領域設定部１０８は、第１画像MO1の画像品質として、第１画像MO1に含まれている画像品質を示す複数のパラメーター（縦画素数、横画素数、フレームレートおよびビットレート）を用いる。
領域設定部１０８は、第２画像MO2の画像品質として、第２画像MO2に含まれている画像品質を示す複数のパラメーター（縦画素数、横画素数、フレームレートおよびビットレート）を用いる。
【００３８】
領域設定部１０８は、第１領域R1に第１画像が表示され第２領域R2に第２画像が表示された表示画像SC-bを示す表示画像データを生成する。領域設定部１０８は、表示画像データを光変調装置駆動部１１０に出力する。
【００３９】
光変調装置駆動部１１０は、領域設定部１０８から入力された表示画像データに基づいて表示用駆動信号を生成し、表示用駆動信号を用いて光変調装置３２を駆動する。これにより、第１画像MO1と第２画像MO2とを含む表示画像SC-bが光変調装置３２に描画され、この表示画像SC-bが、投射光学系３３を介して投射面ＳＣ上に表示される。
【００４０】
＜動作の説明＞
次に、動作を説明する。
図３は、表示画像SC-bの生成動作を説明するためのフローチャートである。
以下では、プロジェクター１１が、ＰＣ１２ａから圧縮第１画像データを受信し、その後、ＰＣ１２ｂから圧縮第２画像データを受信するとする。
この状況で、制御部１０７は、入力処理部１０３から同時表示指示ボタンの操作に応じた操作信号を受け付けると、通信部１０４および領域設定部１０８に、表示画像SC-bの生成指示を出力する。なお、表示画像SC-bの生成指示は、第１画像MO1と第２画像MO2とを含む表示画像SC-bの生成する旨の指示である。
通信部１０４は、表示画像SC-bの生成指示を受け付けると、最初に受信する圧縮第１画像データについて伝送品質を特定する。
【００４１】
まず、通信部１０４は、圧縮第１画像データの電波強度を計測する（ステップＳ３０１）。
ステップＳ３０１では、通信部１０４は以下のように動作する。
＜電波強度の決定＞
通信部１０４は、圧縮第１画像データを無線通信で受信した場合、圧縮第１画像データのパケットから、第１画像データの電波強度の情報を取得する。
なお、通信部１０４は、圧縮第１画像データを有線通信で受信した場合、第１画像データの電波強度として、既定値「１」を設定する。なお、既定値は「１」に限らず適宜変更可能である。通信部１０４は、有線通信で受信した画像データに対して電波強度を設定するため、有線通信で受信された画像データについても電波強度のパラメーターを適用することが可能になる。
以上で、ステップＳ３０１が終了する。
【００４２】
続いて、通信部１０４は、圧縮第１画像データの通信プロトコル（トランスポート層の通信プロトコル）がＴＣＰ（Transmission Control Protocol）であるかＵＤＰ（User Datagram Protocol）であるかを判断する（ステップＳ３０２）。
【００４３】
＜パケット再送率とパケットエラー率との決定＞
＜通信プロトコルがＴＣＰの場合＞
通信部１０４は、圧縮第１画像データのトランスポート層の通信プロトコルがＴＣＰである場合（ステップＳ３０２でＴＣＰの場合）、圧縮第１画像データの送信元であるＰＣ１２ａから、第１画像データのパケットの再送率を取得し、さらに、第１画像データのパケットエラー率を「０」に設定する（ステップＳ３０３）。
ここで、通信プロトコルがＴＣＰである場合に第１画像データのパケットエラー率を「０」に設定する点について説明する。
ＴＣＰに従った通信では、パケットエラーが発生すると、パケット再送が行われ、パケットエラーが補償される。このため、ステップＳ３０３では、通信プロトコルがＴＣＰである場合に、通信部１０４は、第１画像データのパケットエラー率を「０」に設定する。よって、通信プロトコルがＴＣＰである場合、パケットエラー率を算出する必要がなくなる。ここで、第１画像データのパケットエラー率＝「０」は、パケットエラー率に関する既定の最小値の一例である。
【００４４】
＜通信プロトコルがＵＤＰの場合＞
一方、通信部１０４は、圧縮第１画像データのトランスポート層の通信プロトコルがＵＤＰである場合（ステップＳ３０２でＵＤＰの場合）、圧縮第１画像データのパケットエラー率を計算し、さらに、第１画像データのパケット再送率を「０」に設定する（ステップＳ３０４）。
ここで、通信プロトコルがＵＤＰである場合に第１画像データのパケット再送率を「０」に設定する点について説明する。
ＵＤＰに従った通信では、パケットエラーが発生しても、パケットは再送されない。このため、ステップＳ３０４では、通信プロトコルがＵＤＰである場合に、通信部１０４は、第１画像データのパケット再送率を「０」に設定する。よって、通信プロトコルがＵＤＰである場合、パケット再送率を第１画像データの送信元から取得する必要がなくなる。ここで、第１画像データのパケット再送率＝「０」は、パケット再送率に関する既定の最小値の一例である。
【００４５】
ステップＳ３０３またはステップＳ３０４が実行されることで、第１画像データのパケット再送率およびパケットエラー率が特定される。
ステップＳ３０３またはステップＳ３０４が完了すると、通信部１０４は、圧縮第１画像データ（映像ストリーム）に対してデコード（伸張）を行って、第１画像データを復元する（ステップＳ３０５）。
【００４６】
続いて、通信部１０４は、ステップＳ３０５でのデコードの際に発生したエラー（デコードエラー）に基づいて、第１画像データのデコードエラー率を計算する（ステップＳ３０６）。
【００４７】
続いて、通信部１０４は、第１画像データについてステップＳ３０１と、ステップＳ３０３またはＳ３０４と、ステップＳ３０６とで特定した伝送品質に関する複数のパラメーター（電波強度、パケット再送率、パケットエラー率、デコードエラー率）と、第１画像データとを、まとめて、領域設定部１０８に出力する。
【００４８】
領域設定部１０８は、第１画像データについての伝送品質に関する複数のパラメーターと、第１画像データと、を受け付けると、第１画像データに示されている縦画素数および横画素数（第１画像データに示されている画像品質に関するパラメーターの一部）を読み出す。続いて、領域設定部１０８は、「縦画素数」×「横画素数」を計算して第１画像MO1の総画素数（解像度）を算出する（ステップＳ３０７）。
【００４９】
続いて、領域設定部１０８は、第１画像データに示されている「フレームレート」（第１画像MO1のフレームレート）を取得する（ステップＳ３０８）。このフレームレートは、第１画像データについて予め規定されたフレームレートである。
【００５０】
続いて、領域設定部１０８は、第１画像データに示されている「ビットレート」（第１画像MO1のビットレート）を取得する（ステップＳ３０９）。このビットレートは、第１画像データについて予め規定されたビットレートである。
【００５１】
続いて、領域設定部１０８は、第１優先度係数を算出する（ステップＳ３１０）。
ステップＳ３１０では、領域設定部１０８は、以下の（１）式を用いて第１優先度係数を算出する。
優先度係数＝電波強度×電波強度係数
＋（１／パケット再送率）×パケット再送率係数
＋（１／パケットエラー率）×パケットエラー率係数
＋（１／デコードエラー率）×デコードエラー率係数
＋総画素数×総画素数係数
＋フレームレート×クレームレート係数
＋ビットレート×ビットレート係数            ・・・（１）式
【００５２】
（１）式に示された、電波強度、パケット再送率、パケットエラー率およびデコードエラー率は、伝送品質に関するパラメーターである。
ここで、画像データの伝送品質が画像の画像品質に及ぼす影響、および、画像データの伝送品質と優先度係数との関係について、個々のパラメーターについて説明する。
【００５３】
＜電波強度＞
画像データの電波強度が小さいほど、画像データの通信エラー（通信不能を含む）の頻度が高くなる。そして、画像データの通信エラーの頻度が高くなると、その画像データの実際のフレームレートが低くなり、その画像データにて示される画像の画像品質が低くなる。このため、画像データの電波強度が大きいほど、その画像データにて示される画像の画像品質の低下が抑制される。（１）式で算出される優先度係数は、画像データの電波強度が大きいほど、つまり、画像データの伝送品質が高いほど、大きくなる。
【００５４】
＜パケット再送率＞
画像データのパケット再送率が大きいほど、所定時間の間にプロジェクター１１に到達するパケットは少なくなる。そして、所定時間の間にプロジェクター１１に到達するパケットが少なくなると、その画像データの実際のフレームレートが低くなり、その画像データにて示される画像の画像品質が低くなる。このため、画像データのパケット再送率が小さいほど、その画像データにて示される画像の画像品質の低下が抑制される。（１）式で算出される優先度係数は、画像データのパケット再送率が小さいほど、つまり、画像データの伝送品質が高いほど、大きくなる。
【００５５】
＜パケットエラー率＞
画像データのパケットエラー率が大きいほど、所定時間の間にプロジェクター１１に到達する正常なパケットは少なくなる。そして、所定時間の間にプロジェクター１１に到達する正常なパケットが少なくなると、その画像データの実際のフレームレートが低くなり、その画像データにて示される画像の画像品質が低くなる。このため、画像データのパケットエラー率が小さいほど、その画像データにて示される画像の画像品質の低下が抑制される。（１）式で算出される優先度係数は、画像データのパケットエラー率が小さいほど、つまり、画像データの伝送品質が高いほど、大きくなる。
【００５６】
＜デコードエラー率＞
画像データのデコードエラー率が大きいほど、その画像データにて示される画像の画像品質が低くなる。よって、画像データのデコードエラー率が小さいほど、その画像データにて示される画像の画像品質の低下が抑制される。（１）式で算出される優先度係数は、画像データのデコードエラー率が小さいほど、つまり、画像データの伝送品質が高いほど、大きくなる。
【００５７】
一方、（１）式に示された、総画素数、フレームレートおよびビットレートは、第１画像MO1の画像品質に関するパラメーターである。
（１）式で算出される優先度係数は、総画素数が大きいほど、つまり、画像品質が高いほど、大きくなる。また、（１）式で算出される優先度係数は、フレームレート（画像データに示されたフレームレート）が大きいほど、つまり、画像品質が高いほど、大きくなる。また、（１）式で算出される優先度係数は、ビットレート（画像データに示されたビットレート）が大きいほど、つまり、画像品質が高いほど、大きくなる。
【００５８】
電波強度係数、パケット再送率係数、パケットエラー率係数、デコードエラー率係数、総画素数係数、クレームレート係数およびビットレート係数は、重み付け係数や正規化係数として機能する。これらの係数は、固定値でもよいし、例えば係数テーブル（不図示）上で変更される値でもよい。
また、係数の値を「０」とすることで、その係数に対応するパラメーターを優先度係数に反映させないことが可能となる。
【００５９】
本実施形態では、これらの係数の各々を０以上の値とするが、すべての係数が「０」になる場合を除く。
例えば、電波強度係数とパケット再送率係数とパケットエラー率係数とデコードエラー率係数とのうち、少なくとも１つを「０」よりも大きい値とし、他の係数を「０」としてもよい。この場合、（１）式で算出される優先度係数は、伝送品質が高いほど（例えば、電波強度が強く、パケット再送率が低く、パケットエラー率が低く、または、デコードエラー率が低いほど）、大きくなる。
また、電波強度係数とパケット再送率係数とパケットエラー率係数とデコードエラー率係数とのうち少なくとも１つと、総画素数係数とフレームレート係数とビットレート係数とのうち少なくとも１つとを、「０」よりも大きい値とし、他の係数を「０」としてもよい。この場合、（１）式で算出される優先度係数は、画像データに示された画像品質が変わらない状況では、伝送品質が高いほど（例えば、電波強度が強く、パケット再送率が低く、パケットエラー率が低く、または、デコードエラー率が低いほど）大きくなり、伝送品質が変わらない状況では、画像データに示された画像品質が高いほど（例えば、総画素数が多く、フレームレートが高く、または、ビットレートが高いほど）大きくなる。
【００６０】
続いて、領域設定部１０８は、第１画像データと第１優先度係数とを、第１画像データの送信元であるＰＣ１２ａに対応する画像バッファー１０５Ａ−ａに格納する（ステップＳ３１１）。
【００６１】
続いて、領域設定部１０８は、表示画像SC-bの生成指示にて特定される第１画像MO1と第２画像MO2とのうち、優先度係数を計算していない画像があるかを判断する（ステップＳ３１２）。
上述した説明では、第２優先度係数が未だ計算されていないため（ステップＳ３１２のＹＥＳ）、領域設定部１０８は、通信部１０４に対して、第２画像MO2について、電波強度、パケット再送率、パケットエラー率およびデコードエラー率を取得する旨の取得要求を出力する。
通信部１０４は、この取得要求を受け付けると、圧縮第２画像データについて、ステップＳ３０１以降の動作を実行する。なお、通信部１０４は、受信した圧縮画像データに付加されている送信元のＩＤまたはネットワークアドレス等に基づいて、受信した圧縮画像データがＰＣ１２ｂから送信された圧縮第２画像データであるか否かを特定する。
そして、ステップＳ３１１では、領域設定部１０８は、第２画像データと第２優先度係数とを、第２画像データの送信元であるＰＣ１２ｂに対応する画像バッファー１０５Ａ−ｂに格納する。
【００６２】
一方、ステップＳ３１２で、優先度係数を計算していない画像がないと（ステップＳ３１２のＮＯ）、つまり、第１優先度係数と第２優先度係数との両方が計算されると、領域設定部１０８は、第１優先度係数と第２優先度係数とに基づいて、第１領域R1と第２領域R2とを設定する（ステップＳ３１３）。以下、ステップＳ３１３の一例について説明する。
【００６３】
例えば、領域設定部１０８は、まず、第１優先度係数と第２優先度係数とに基づいて、第１画像MO1の縦画素数および横画素数についての拡大率S1（スケーリング係数）と、第２画像MO2の縦画素数および横画素数についての拡大率S2を決定する。拡大率S1およびS2は、それぞれ、１以上の値か、０より大きく１未満の値か、のいずれかである。
ここで、拡大率S1の値および拡大率S2の値の意味について説明する。
拡大率S1が１より大きい場合、拡大率S1は拡大を示し、拡大率S1が１である場合、拡大率S1は現状維持を示し、拡大率S1が０より大きく１未満の場合、拡大率S1は縮小を示す。拡大率S2の値の意味は、拡大率S1の値の意味と同様である。
領域設定部１０８は、拡大率S1として以下の（２）式で求められる拡大率S1を用い、拡大率S2として以下の（３）式で求められる拡大率S2を用いる。
第１画像MO1の拡大率S1＝（第１優先度係数）／（第２優先度係数）  ・・・（２）
第２画像MO2の拡大率S2＝（第２優先度係数）／（第１優先度係数）  ・・・（３）
【００６４】
ここで、（１）式で算出される優先度係数は、画像データに示された画像品質が変わらない場合、伝送品質が高いほど大きくなる。このため、第１画像データに示された画像品質が第２画像データに示された画像品質と等しい状況で、拡大率S1と拡大率S2が用いられた場合、第１画像MO1と第２画像MO2のうち、伝送品質の高い画像の方の拡大率が伝送品質の低い画像の拡大率よりも大きくなる。
また、（１）式で算出される優先度係数は、伝送品質が変わらない場合、画像データに示された画像品質が高いほど大きくなる。このため、第１画像データの伝送品質が第２画像データの伝送品質と等しい状況で、拡大率S1と拡大率S2が用いられた場合、第１画像MO1と第２画像MO2のうち、画像データに示された画像品質の高い画像の方の拡大率が画像データに示された画像品質の低い画像の拡大率よりも大きくなる。
【００６５】
なお、（２）式で示した拡大率S1が用いられる場合、（３）式で示した拡大率S2の代わりに、以下の（４）式で示した拡大率S2aが用いられてもよい。
拡大率S2a＝（第２優先度係数）/（第２優先度係数）＝１  ・・・（４）
【００６６】
また、（３）式で示した拡大率S2が用いられた場合、（２）式で示した拡大率S1の代わりに、以下の（５）式で示した拡大率S1aが用いられてもよい。
拡大率S1a＝（第１優先度係数）/（第１優先度係数）＝１  ・・・（５）
【００６７】
続いて、領域設定部１０８は、第１画像MO1の縦画素数および横画素数について拡大率S1を用いて拡大し、第２画像MO2の縦画素数および横画素数について拡大率S2を用いて拡大する。以下、拡大後の第１画像MO1を「第１画像MO1a」と称し、拡大後の第２画像MO2を「第２画像MO2a」と称する。
【００６８】
続いて、領域設定部１０８は、第１画像MO1aと第２画像MO2aとが表示画像SC-bに収まるように、第１画像MO1aと第２画像MO2aを調整する。
本実施形態では、表示画像SC-bを生成するために、表示画像SC-bと形状および大きさが等しい基準画像SC-aが用いられる。基準画像SC-aとしては、例えば、表示画像SC-bを単色の画像に変換したものが用いられる。
また、説明の簡略化を図るため、基準画像SC-a、第１画像MO1aおよび第２画像MO2aの各々の縦画素数および横画素数を以下の通りとする。
基準画像SC-aの横画素数SC-a-PWおよび縦画素数SC-a-PHは、それぞれ、図４に示したように「１９２０画素」、「１２００画素」である。なお、図４に示した「ｐ」は「画素数」を表すものである。
第１画像MO1aの横画素数MO1a-PWおよび縦画素数MO1a-PHは、それぞれ、図５に示したように「６４０画素」、「４８０画素」である。なお、図５に示した「ｐ」も「画素数」を表すものである。
第２画像MO2aの横画素数MO2a-PWおよび縦画素数MO2a-PHは、それぞれ、図６に示したように「１００画素」、「２５０画素」である。なお、図６に示した「ｐ」も「画素数」を表すものである。
なお、基準画像SC-a、第１画像MO1a、第２画像MO2aの各々の横画素数および縦画素数は適宜変更可能である。
【００６９】
図７は、第１画像MO1aと第２画像MO2aとを含む表示画像SC-bの生成動作、つまり、ステップＳ３１３の一例を説明するためのフローチャートである。
まず、領域設定部１０８は、第１画像MO1aの横の長さおよび縦の長さと、第２画像MO2aの横の長さおよび縦の長さと、について正規化を行う（ステップＳ７０１）。
ステップＳ７０１では、領域設定部１０８は以下のように動作する。
まず、領域設定部１０８は、縦画素数MO1a-PHと横画素数MO1a-PWと縦画素数MO2a-PHと横画素数MO2a-PWのうち、最も数値の小さい画素数を基準Ｂとして決定する。
図５および図６に示した例では、領域設定部１０８は、基準Ｂとして、横画素数MO2a-PW（＝１００画素）を決定する。
続いて、領域設定部１０８は、縦画素数MO1a-PHと横画素数MO1a-PWと縦画素数MO2a-PHと横画素数MO2a-PWの各々を基準Ｂで除算することで、第１画像MO1aの縦の長さおよび横の長さと、第２画像MO2aの縦の長さおよび横の長さと、について正規化を行う。
図５および図６に示した例では、
第１画像MO1aの縦の長さ＝（４８０）／（１００）＝４．８、
第１画像MO1aの横の長さ＝（６４０）／（１００）＝６．４、
第２画像MO2aの縦の長さ＝（２５０）／（１００）＝２．５、
第２画像MO2aの横の長さ＝（１００）／（１００）＝１、
となる。
以上で、ステップＳ７０１が完了する。
【００７０】
続いて、領域設定部１０８は、第１画像MO1aと第２画像MO2aとを横に並べた横並び画像における最大縦画素数と最大横画素数との比（以下「第１の比」と称する）と、第１画像MO1aと第２画像MO2aとを縦に並べた縦並び画像における最大縦画素数と最大横画素数との比（以下「第２の比」と称する）と、を算出する（ステップＳ７０２）。
ステップＳ７０２では、領域設定部１０８は以下のように動作する。
まず、領域設定部１０８は、ステップＳ７０１で正規化した値を用いて、横並び画像の最大の縦の長さおよび最大の横の長さと、縦並び画像の最大の縦の長さおよび最大の横の長さと、を算出する。
領域設定部１０８は、横並び画像については、第１画像MO1aの縦の長さと第２画像MO2aの縦の長さのうち長い方を最大の縦の長さとして決定し、第１画像MO1aの横の長さと第２画像MO2aの横の長さとを加算した長さを、最大の横の長さとして決定する。
また、領域設定部１０８は、縦並び画像については、第１画像MO1aの縦の長さと第２画像MO2aの縦の長さとを加算した長さを、最大の縦の長さとして決定し、第１画像MO1aの横の長さと第２画像MO2aの横の長さのうち長い方を最大の横の長さとして決定する。
続いて、領域設定部１０８は、第１の比と第２の比とを算出する。なお、横並び画像における最大縦画素数と最大横画素数との比である第１の比は、（横並び画像の最大の縦の長さ）／（横並び画像の最大の横の長さ）で表され、縦並び画像における最大縦画素数と最大横画素数との比である第２の比は、（縦並び画像の最大の縦の長さ）／（縦並び画像の最大の横の長さ）で表される。
【００７１】
ステップＳ７０２を図５および図６に示した例で説明すると以下のようになる。
＜横並び画像の最大の縦の長さ＞
第１画像MO1aの縦の長さ（＝４．８）が第２画像MO2aの縦の長さ（＝２．５）よりも長いので、横並び画像の最大の縦の長さは、第１画像MO1aの縦の長さ（＝４．８）となる。
＜横並び画像の最大の横の長さ＞
横並び画像の最大の横の長さは、第１画像MO1aの横の長さ（＝６．４）と第２画像MO2aの横の長さ（＝１）とを加算した長さ（＝７．４）となる。
＜縦並び画像の最大の縦の長さ＞
縦並び画像の最大の縦の長さは、第１画像MO1aの縦の長さ（＝４．８）と第２画像MO2aの縦の長さ（＝２．５）とを加算した長さ（＝７．３）となる。
＜縦並び画像の最大の横の長さ＞
第１画像MO1aの横の長さ（＝６．４）が第２画像MO2aの横の長さ（＝１）よりも長いので、縦並び画像の最大の横の長さは、第１画像MO1aの横の長さ（＝６．４）となる。
＜第１の比＞
第１の比は、（横並び画像の最大の縦の長さ＝４．８）／（横並び画像の最大の横の長さ＝７．４）＝０．６４８６４８６４８６４８６４９となる。
＜第２の比＞
第２の比は、（縦並び画像の最大の縦の長さ＝７．３）／（縦並び画像の最大の横の長さ＝６．４）＝１．１４０６２５となる。
以上で、ステップＳ７０２が完了する。
【００７２】
続いて、領域設定部１０８は、表示画像SC-bで、第１画像MO1aと第２画像MO2aとを横方向に並べて表示するか縦方向に並べて表示するかを決定する（ステップＳ７０３）。
ステップＳ７０３では、領域設定部１０８は以下のように動作する。
まず、領域設定部１０８は、基準画像SC-aにおける縦画素数SC-a-PHと横画素数SC-a-PWとの比（以下「第３の比」と称する）を算出する。なお、第３の比は、（縦画素数SC-a-PH）／（横画素数SC-a-PW）で表され、表示画像SC-bにおける縦画素数と横画素数との比と同値である。
続いて、領域設定部１０８は、第１の比と第２の比と第３の比とに基づいて、表示画像SC-bにおいて、第１画像MO1aと第２画像MO2aとを横方向に並べて表示するか縦方向に並べて表示するかを決定する。
本実施形態では、領域設定部１０８は、第１の比と第３の比との差が、第２の比と第３の比との差よりも小さい場合、第１画像MO1aと第２画像MO2aとを横方向に並べて表示することを決定し、第２の比と第３の比との差が、第１の比と第３の比との差よりも小さい場合、第１画像MO1aと第２画像MO2aとを縦方向に並べて表示することを決定する。
例えば、第３の比から第１の比を差し引いた値の絶対値Ｔ１が、第３の比から第２の比を差し引いた値の絶対値Ｔ２よりも小さい場合、領域設定部１０８は、第１画像MO1aと第２画像MO2aとを横方向に並べて表示することを決定する。
一方、絶対値Ｔ２が絶対値Ｔ１よりも小さい場合、領域設定部１０８は、第１画像MO1aと第２画像MO2aとを縦方向に並べて表示することを決定する。
ここで、絶対値Ｔ１が絶対値Ｔ２と等しい場合、領域設定部１０８は、第１画像MO1aと第２画像MO2aとを横方向に並べて表示することを決定する。なお、絶対値Ｔ１が絶対値Ｔ２と等しい場合、領域設定部１０８は、第１画像MO1aと第２画像MO2aとを横方向ではなく縦方向に並べて表示することを決定してもよい。
【００７３】
ステップＳ７０３を図４〜図６に示した例で説明すると以下のようになる。
＜第３の比＞
第３の比は、（縦画素数SC-a-PH＝１２００）／（横画素数SC-a-PW＝１９２０）＝０．６２５となる。
＜絶対値Ｔ１＞
絶対値Ｔ１は、｜（第３の比＝０．６２５）−（第１の比＝０．６４８６４８６４８６４８６４９）｜＝０．０２３６４８６４８６４８６４９となる。
＜絶対値Ｔ２＞
絶対値Ｔ２は、｜（第３の比＝０．６２５）−（第２の比＝１．１４０６２５）｜＝０．５１５６２５となる。
＜絶対値Ｔ１と絶対値Ｔ２との比較＞
絶対値Ｔ１が絶対値Ｔ２よりも小さいので、図４〜図６に示した例では、領域設定部１０８は、第１画像MO1aと第２画像MO2aとを横方向に並べて表示することを決定する。
以上で、ステップＳ７０３が完了する。
【００７４】
続いて、領域設定部１０８は、並べ方の決定の結果と、表示画像SC-bの大きさと、に基づいて、第１画像MO1aと第２画像MO2aとの拡大率（スケーリング係数）S3を決定する（ステップＳ７０４）。
ここで、表示画像SC-bの大きさは、基準画像SC-aの大きさと同一であるので、以下の説明では、領域設定部１０８は、並べ方の決定の結果と、基準画像SC-aの大きさ（縦画素数SC-a-PHと横画素数SC-a-PW）と、に基づいて、第１画像MO1aと第２画像MO2aとの拡大率S3を決定することとする。
拡大率S3も、拡大率S1や拡大率S2と同様に、１以上の値か、０より大きく１未満の値か、のいずれかとなる。
ステップＳ７０４では、領域設定部１０８は以下のように動作する。
【００７５】
＜並べ方の決定結果が「横並び」を示し第１の比が第３の比より大きい場合＞
この場合、領域設定部１０８は、拡大率S3として、（基準画像SC-aの縦画素数SC-a-PH）／（横並び画像の最大縦画素数）を算出する。
ここで、並べ方の決定結果が「横並び」を示し第１の比が第３の比より大きいことは、横並び画像の最大縦画素数を縦画素数とし横並び画像の最大横画素数を横画素数とする「横並び対応画像」が、表示画像SC-b（基準画像SC-a）よりも「縦長」であることを意味する。このため、領域設定部１０８は、拡大率S3に応じた大きさの調整がなされた横並び画像の縦方向の長さが表示画像SC-bの縦方向の長さに一致するように、縦方向の画素数を基準に拡大率S3を算出する。
【００７６】
＜並べ方の決定結果が「横並び」を示し第１の比が第３の比より小さい場合＞
この場合、領域設定部１０８は、拡大率S3として、（基準画像SC-aの横画素数SC-a-PW）／（横並び画像の最大横画素数）を算出する。
ここで、並べ方の決定結果が「横並び」を示し第１の比が第３の比より小さいことは、「横並び対応画像」が表示画像SC-b（基準画像SC-a）よりも「横長」であることを意味する。このため、領域設定部１０８は、拡大率S3に応じた大きさの調整がなされた横並び画像の横方向の長さが表示画像SC-bの横方向の長さに一致するように、横方向の画素数を基準に拡大率S3を算出する。
【００７７】
＜並べ方の決定結果が「横並び」を示し第１の比が第３の比と等しい場合＞
この場合、領域設定部１０８は、並べ方の決定結果が「横並び」を示し第１の比が第３の比より小さい場合と同様に拡大率S3を算出する。なお、この場合、領域設定部１０８は、並べ方の決定結果が「横並び」を示し第１の比が第３の比より大きい場合と同様に拡大率S3を算出してもよい。
【００７８】
＜並べ方の決定結果が「縦並び」を示し第２の比が第３の比より大きい場合＞
この場合、領域設定部１０８は、拡大率S3として、（基準画像SC-aの縦画素数SC-a-PH）／（縦並び画像の最大縦画素数）を算出する。
ここで、並べ方の決定結果が「縦並び」を示し第２の比が第３の比より大きいことは、縦並び画像の最大縦画素数を縦画素数とし縦並び画像の最大横画素数を横画素数とする「縦並び対応画像」が、表示画像SC-b（基準画像SC-a）よりも「縦長」であることを意味する。このため、領域設定部１０８は、拡大率S3に応じた大きさの調整がなされた縦並び画像の縦方向の長さが表示画像SC-bの縦方向の長さに一致するように、縦方向の画素数を基準に拡大率S3を算出する。
【００７９】
＜並べ方の決定結果が「縦並び」を示し第２の比が第３の比より小さい場合＞
この場合、領域設定部１０８は、拡大率S3として、（基準画像SC-aの横画素数SC-a-PH）／（縦並び画像の最大横画素数）を算出する。
ここで、並べ方の決定結果が「縦並び」を示し第２の比が第３の比より小さいことは、「縦並び対応画像」が表示画像SC-b（基準画像SC-a）よりも「横長」であることを意味する。このため、領域設定部１０８は、拡大率S3に応じた大きさの調整がなされた縦並び画像の横方向の長さが表示画像SC-bの横方向の長さに一致するように、横方向の画素数を基準に拡大率S3を算出する。
【００８０】
＜並べ方の決定結果が「縦並び」を示し第２の比が第３の比と等しい場合＞
この場合、領域設定部１０８は、並べ方の決定結果が「縦並び」を示し第２の比が第３の比より小さい場合と同様に拡大率S3を算出する。なお、この場合、領域設定部１０８は、並べ方の決定結果が「縦並び」を示し第２の比が第３の比より大きい場合と同様に拡大率S3を算出してもよい。
【００８１】
ステップＳ７０４を図４〜図６に示した例で説明すると以下のようになる。
並べ方の決定結果が「横並び」を示し第１の比が第３の比より大きいので、領域設定部１０８は、拡大率S3として、（基準画像SC-aの縦画素数SC-a-PH＝１２００画素）／（横並び画像の最大縦画素数＝４８０画素）＝２．５を算出する。
以上で、ステップＳ７０４が完了する。
【００８２】
続いて、領域設定部１０８は、フレームメモリー１０９を用いて、拡大率S3で大きさを調整した第１画像MO1aおよび第２画像MO2aを、ステップＳ７０３で決定した並びで、基準画像SC-aに収まるように配置して、表示画像SC-bを生成する（ステップＳ７０５）。
【００８３】
図８は、並べ方の決定結果が「横並び」を示し第１の比が第３の比より大きい場合の表示画像SC-bの一例を示した図である。図８において、第１画像MO1aが存在する領域が第１領域R1の一例であり、第２画像MO2aが存在する領域が第２領域R2の一例である。この場合、図８に示すように、拡大率S3に応じた大きさの調整がなされた横並び画像の縦方向の長さが表示画像SC-bの縦方向の長さと一致する。
【００８４】
図９は、並べ方の決定結果が「横並び」を示し第１の比が第３の比より小さい場合の表示画像SC-bの一例を示した図である。図９において、第１画像MO1aが存在する領域が第１領域R1の一例であり、第２画像MO2aが存在する領域が第２領域R2の一例である。この場合、図９に示すように、拡大率S3に応じた大きさの調整がなされた横並び画像の横方向の長さが表示画像SC-bの横方向の長さと一致する。
【００８５】
図１０は、並べ方の決定結果が「縦並び」を示し第２の比が第３の比より大きい場合の表示画像SC-bの一例を示した図である。図１０において、第１画像MO1aが存在する領域が第１領域R1の一例であり、第２画像MO2aが存在する領域が第２領域R2の一例である。この場合、図１０に示すように、拡大率S3に応じた大きさの調整がなされた縦並び画像の縦方向の長さが表示画像SC-bの縦方向の長さに一致する。
【００８６】
図１１は、並べ方の決定結果が「縦並び」を示し第２の比が第３の比より小さい場合の表示画像SC-bの一例を示した図である。図１１において、第１画像MO1aが存在する領域が第１領域R1の一例であり、第２画像MO2aが存在する領域が第２領域R2の一例である。この場合、図１１に示したように、拡大率S3に応じた大きさの調整がなされた縦並び画像の横方向の長さが表示画像SC-bの横方向の長さに一致する。
なお、図４〜図６に示した例を元に生成した表示画像SC-bは、図８に示した表示画像SC-bとなる。
ここで、拡大率S1が拡大率S2よりも大きい場合、つまり、第１優先度係数が第２優先度係数よりも大きい場合、拡大率S1と拡大率S3とを乗算した値を「Ｍ」（Ｍは正数）とすると、拡大率S2と拡大率S3とを乗算した値「Ｎ」は、「Ｍ」より小さい正数となる。よって、第１画像MO1と第２画像MO2のうち優先度係数が低い画像を優先度係数が高い画像よりも目立ち難くすることが可能になる。
【００８７】
ここで、図９や図１０に示したような表示画像SC-bは、領域設定部１０８が、第１画像MO1aと第２画像MO2aとを並べ方の決定結果に従って並べることで形成される画像（横並び画像や縦並び画像）が表示画像SC-bの上下左右の外縁に接しつつ第１画像MO1aと第２画像MO2aとが接するように、第１画像MO1aと第２画像MO2aとの両方を拡大することによって、生成される。
図９や図１０に示したような表示画像SC-bにおいては、第１画像MO1aと第２画像MO2aとを同じ拡大率S3で大きさを変更しつつ第１画像MO1aと第２画像MO2aとが互いに重ならずに表示画像SC-bに収まるという条件下では、第１画像MO1aと第２画像MO2aとをこれ以上拡大できない。つまり、表示画像SC-bにおいて第１画像MO1aや第２画像MO2のいずれも表示していない領域（以下「未表示領域」と称する）をこれ以上小さくできない。よって、未表示領域が小さくなっており、表示画像SC-bの有効利用を図ることができる。
【００８８】
続いて、領域設定部１０８は、表示画像SC-bを表す表示画像データを光変調装置駆動部１１０に出力する。光変調装置駆動部１１０は、領域設定部１０８から入力された表示画像データに基づいて、光変調装置３２を駆動する。これにより、第１画像MO1aと第２画像MO2aが横方向または縦方向に並んでいる表示画像SC-bが光変調装置３２に描画され、この表示画像SC-bが、投射光学系３３を介して投射面ＳＣ上に投射される。
【００８９】
本実施形態によれば、領域設定部１０８は、第１画像データの伝送品質と、第２画像データの伝送品質と、に基づいて、表示画像SC-bにおいて第１画像MO1を表示する第１領域R1と、表示画像SC-Bにおいて第２画像MO2を表示する第２領域R2と、を設定する。
このため、第１画像データの伝送品質と、第２画像データの伝送品質と、に基づいて、第１領域R1と第２領域R2とを変更可能になる。このため、例えば、第１画像MO1と第２画像MO2のうち伝送品質の悪い方の画像が伝送品質のよい方の画像よりも目立たなくなるように、第１領域R1と第２領域R2を設定できる。よって、画像データの伝送品質に関わらず、表示画像SC-b内での第１画像MO1と第２画像MO2の形状、大きさおよび位置関係が変わらない場合に比べて、表示画像SC-b全体の見栄えの悪化を抑制可能になる。
【００９０】
本実施形態では、領域設定部１０８は、第１画像データについての伝送品質を示す複数のパラメーター（電波強度、パケット再送率、パケットエラー率およびデコードエラー率）のうち少なくとも１つに基づいて第１優先度係数を導出し、第２画像データについての伝送品質を示す複数のパラメーターのうち第１優先度係数の導出に用いるパラメーターと同じ種類のパラメーターに基づいて第２優先度係数を導出し、第１優先度係数と第２優先度係数とに基づいて、第１領域R1と第２領域R2とを設定する。例えば、第１画像データの電波強度に基づいて第１優先度係数を導出する場合には、領域設定部１０８は、第２画像データの電波強度（同じ種類のパラメーター）に基づいて第２優先度係数を導出する。このため、伝送品質に関するパラメーターに基づいて第１領域R1と第２領域R2とを設定可能になる。
【００９１】
本実施形態では、領域設定部１０８は、第１画像データの伝送品質および第１画像MO1の画像品質と、第２画像データの伝送品質および第２画像MO2の画像品質と、に基づいて、第１領域R1と第２領域R2とを設定する。このため、例えば、第１画像データと第２画像データとの間で伝送品質に差がない場合、第１画像MO1の画像品質と第２画像MO2の画像品質とに応じて、第１領域R1と第２領域R2とを変更可能になる。このため、例えば、第１画像データと第２画像データとの間で伝送品質に差がない場合、第１画像MO1と第２画像MO2のうち画像品質の悪い方の画像が画像品質のよい方の画像よりも目立たなくなるように、第１領域R1と第２領域R2を設定でき、表示画像全体の見栄えの悪化を抑制可能になる。
【００９２】
本実施形態では、領域設定部１０８は、第１優先度係数を、第１画像データについての伝送品質を示す複数のパラメーター（電波強度、パケット再送率、パケットエラー率およびデコードエラー率）のうち少なくとも１つと、第１画像MO1についての画像品質を示す複数のパラメーター（総画素数、フレームレートおよびビットレート）のうち少なくとも１つと、に基づいて導出し、第２優先度係数を、第２画像データについての伝送品質を示す複数のパラメーターおよび第２画像MO2についての画像品質を示す複数のパラメーターのうち、第１優先度係数の導出に用いるパラメーターと同じ種類のパラメーターに基づいて導出する。例えば、第１画像データの電波強度と第１画像MO1のフレームレートとに基づいて第１優先度係数を導出する場合には、領域設定部１０８は、第２画像データの電波強度と第２画像MO2のフレームレート（同じ種類のパラメーター）に基づいて第２優先度係数を導出する。このため、伝送品質を示すパラメーターと画像品質を示すパラメーターとに基づいて第１領域R1と第２領域R2とを設定可能になる。
【００９３】
＜第１実施形態の変形例＞
上記実施形態は多様に変形され得る。具体的な変形の態様を以下に例示する。以下の例示から任意に選択された２以上の態様は相矛盾しない限り適宜に併合され得る。
【００９４】
＜変形例１＞
並べ方の決定結果が「横並び」を示し第１の比が第３の比より大きい場合（図８参照）には、領域設定部１０８は、第１画像MO1aと第２画像MO2aのうち縦方向の長さが短い方の画像を、第１画像MO1aと第２画像MO2aとが互いに重ならずに表示画像SC-bに収まるという条件下で、拡大してもよい。
例えば、図８に示した表示画像SC-bにおいて第１画像MO1aと第２画像MO2aとの拡大率が「１」であった場合に、領域設定部１０８は、第１画像MO1aと第２画像MO2aとを横に並べた横並び画像が表示画像SC-bの上下左右の外縁に接しつつ第１画像MO1aと第２画像MO2aが接するように、第２画像MO2a（第１画像MO1aと第２画像MO2aのうち縦方向の長さが短い方の画像）のみを拡大する。図１２は、図８に示した表示画像SC-bにおいて、第２画像MO2aを拡大した例である。この場合、さらに未表示領域を小さくできる。
【００９５】
＜変形例２＞
並べ方の決定結果が「縦並び」を示し第２の比が第３の比より小さい場合（図１１参照）には、領域設定部１０８は、第１画像MO1aと第２画像MO2aのうち横方向の長さが短い方の画像を、第１画像MO1aと第２画像MO2aとが互いに重ならずに表示画像SC-bに収まるという条件下で、拡大してもよい。
例えば、図１１に示した表示画像SC-bにおいて第１画像MO1aと第２画像MO2aとの拡大率が「１」であった場合に、領域設定部１０８は、第１画像MO1aと第２画像MO2aとを縦に並べた縦並び画像が表示画像SC-bの上下左右の外縁に接しつつ第１画像MO1aと第２画像MO2aが接するように、第２画像MO2a（第１画像MO1aと第２画像MO2aのうち横方向の長さが短い方の画像）のみを拡大する。図１３は、図１１に示した表示画像SC-bにおいて、第２画像MO2aを拡大した例である。この場合、さらに未表示領域を小さくできる。
【００９６】
なお、変形例１や変形例２では、領域設定部１０８は、第１画像MO1aと第２画像MO2aとを並べ方の決定結果に従って並べた状態で、第１画像MO1aと第２画像MO2aとを並べることによって形成される画像が表示画像SC-bの上下左右の外縁に接しつつ第１画像MO1aと第２画像MO2aとが接するように、第１画像MO1aと第２画像MO2aのいずれか一方を拡大（大きさを変更）する処理を行うことになる。
【００９７】
＜変形例３＞
（１）式にしたがって算出される優先度係数は、画像データの伝送品質が高くなるほど大きくなり、画像データが示す画像の画像品質が高くなるほど大きくなる。ここで、画像データの伝送品質が高くなることは、伝送品質に起因する画像の劣化が小さくなることを意味する。このため、（１）式にしたがって算出される優先度係数は、実際に表示される画像の画像品質が高くなるほど大きくなる。
これに対して、実際に表示される画像の画像品質が高くなるほど小さくなる優先度係数が用いられてもよい。
例えば、（１）式の代わりに、以下の（６）式が用いられてもよい。
優先度係数＝（１／電波強度）×電波強度係数
＋パケット再送率×パケット再送率係数
＋パケットエラー率×パケットエラー率係数
＋デコードエラー率×デコードエラー率係数
＋（１／総画素数）×総画素数係数
＋（１／フレームレート）×クレームレート係数
＋（１／ビットレート）×ビットレート係数            ・・・（６）式
この場合、（２）式で示した拡大率S1の代わりに、以下の（７）式で示した拡大率S1bが用いられ、（３）式で示した拡大率S2の代わりに、以下の（８）式で示した拡大率S2bが用いられる。
拡大率S1b＝（第２優先度係数）／（第１優先度係数）  ・・・（７）
拡大率S2b＝（第１優先度係数）／（第２優先度係数）  ・・・（８）
なお、（７）式で示した拡大率S1bが用いられる場合、（８）式で示した拡大率S2bの代わりに、（４）式で示した拡大率S2aが用いられてもよい。
また、（８）式で示した拡大率S2bが用いられた場合、（７）式で示した拡大率S1bの代わりに、（５）式で示した拡大率S1aが用いられてもよい。
変形例３の場合にも、第１画像MO1と第２画像MO2のうち、画像データの伝送品質が高い画像の方が画像データの伝送品質が低い画像よりも拡大率が大きくなる。よって、第１画像MO1と第２画像MO2のうち、伝送品質の低下に起因する画像品質の低下が大きい方の画像を、表示画像SC-bにおいて目立ち難くすることが可能になる。
【００９８】
＜第２実施形態＞
本発明の第２実施形態は、第１領域R1と第２領域R2とを設定する手法が第１実施形態と異なる。
具体的には、本実施形態では、図１４に示すように、表示画像SC-b（基準画像SC-a）において、第３領域R3と、第３領域R3よりも面積が小さい第４領域R4とが、予め設定されている。そして、第１優先度係数が第２優先度係数よりも大きい場合、第１画像MO1が第３領域R3で表示され、第２画像MO2が第４領域R4で表示される。一方、第２優先度係数が第１優先度係数よりも大きい場合、第２画像MO2が第３領域R3に表示され、第１画像MO1が第４領域R4に表示される。また、第１優先度係数が第２優先度係数と等しい場合、第１画像MO1が第３領域R3で表示され、第２画像MO2が第４領域R4で表示される。なお、第１優先度係数が第２優先度係数と等しい場合に、第２画像MO2が第３領域R3で表示され、第１画像MO1が第４領域R4で表示されてもよい。
なお、第３領域R3と第４領域R4は、図１４に示したものに限らず適宜変更可能である。以下、第２実施形態について、第１実施形態と異なる点を中心に説明する。
【００９９】
図１５は、第２実施形態に係るプロジェクター１１Ａの構成を示すブロック図である。図１５において、第１実施形態で説明したものと同一構成のものには同一符号を付し、詳細な説明を省略する。
【０１００】
本実施形態のプロジェクター１１Ａは、領域設定部１０８の代わりに領域設定部１０８Ａが備えられている点において第１実施形態と異なる。
領域設定部１０８Ａは、図３に示した処理を実行するが、図３に示した処理のうちステップＳ３１３の実行手法のみが領域設定部１０８と異なる。このため、以下では、領域設定部１０８Ａが行うステップＳ３１３の実行手法を中心に説明する。
【０１０１】
領域設定部１０８Ａは、表示画像SC-bにおいて予め設定された第３領域R3と、表示画像SC-bにおいて予め設定された第４領域R4と、のうち、一方を第１領域R1として設定し他方を第２領域R2として設定する設定処理を、第１優先度係数と第２優先度係数とに基づいて行う。
例えば、領域設定部１０８Ａは、図１６に示すようなテーブルＴａを用いて第１領域R1と第２領域R2とを設定する。なお、テーブルＴａは、図１６に示したものに限らず、第１優先度係数と第２優先度係数との大きさに関する順位と、第３領域R3および第４領域R4と、の関係を定めたテーブルであれば適宜変更可能である。また、テーブルＴａは、領域設定部１０８Ａに内蔵されてもよいし、領域設定部１０８Ａの外部の記憶装置（不図示）に記憶され領域設定部１０８Ａにて読み取られてもよい。
【０１０２】
領域設定部１０８Ａは、第１優先度係数と第２優先度係数とを算出すると、第１優先度係数と第２優先度係数のうち、値が大きい方に順位「１」を付与し、値が小さい方に順位「２」を付与する。
【０１０３】
続いて、領域設定部１０８Ａは、テーブルＴａを参照する。
第１優先度係数に順位「１」が付与され第２優先度係数に順位「２」が付与されている場合、領域設定部１０８Ａは、第３領域R3を第１領域R1として設定し、第４領域R4を第２領域R2として設定する。続いて、領域設定部１０８Ａは、第１領域R1（第３領域R3）に第１画像MO1を表示し第２領域R2（第４領域R4）に第２画像MO2を表示する表示画像SC-bを、フレームメモリー１０９を用いて生成する。
一方、第２優先度係数に順位「１」が付与され第１優先度係数に順位「２」が付与されている場合、領域設定部１０８Ａは、第３領域R3を第２領域R2として設定し、第４領域R4を第１領域R1として設定する。続いて、領域設定部１０８Ａは、第１領域R1（第４領域R4）に第１画像MO1を表示し第２領域R2（第３領域R3）に第２画像MO2を表示する表示画像SC-bを、フレームメモリー１０９を用いて生成する。
続いて、領域設定部１０８Ａは、その表示画像SC-bを表す表示画像データを光変調装置駆動部１１０に出力する。
【０１０４】
本実施形態によれば、領域設定部１０８Ａは、第１優先度係数が第２優先度係数よりも大きい場合、第１領域R1を第２領域R2よりも大きくし、第２優先度係数が第１優先度係数よりも大きい場合、第２領域R2を第１領域R1よりも大きくする。
優先度係数は、画像データに示された画像品質が変わらない場合には、画像データの伝送品質が高いほど大きい。このため、例えば、第１画像データに示された画像品質と第２画像データに示された画像品質が等しい場合、表示画像SC-bにおいて、第１画像MO1と第２画像MO2とのうち、伝送品質の高い方の画像を伝送品質の低い方の画像よりも大きく表示できる。よって、伝送品質が低いために実際の画像品質が低くなった画像を、表示画像SC-bにおいて目立たなくできる。
また、優先度係数は、画像データの伝送品質が変わらない場合には、画像データに示された画像品質が高いほど大きい。このため、例えば、第１画像データの伝送品質と第２画像データの伝送品質が等しい場合、表示画像SC-bにおいて、第１画像MO1と第２画像MO2とのうち、画像データに示された画像品質の高い方の画像を画像データに示された画像品質の低い方の画像よりも大きく表示できる。よって、画像データに示された画像品質が低い画像を、表示画像SC-bにおいて目立たなくできる。
【０１０５】
本実施形態では、領域設定部１０８Ａは、表示画像SC-bにおいて予め設定された第３領域R3と、表示画像SC-bにおいて予め設定され第３領域R3とは面積が異なる第４領域R4と、のうち、一方を第１領域R1として設定し他方を第２領域R2として設定する設定処理を、第１優先度係数と第２優先度係数とに基づいて行う。
このため、第１画像MO1と第２画像MO2とを表示するための、面積の異なる２つの領域（第３領域R3と第４領域R4）を、表示画像SC-b内に予め設定できる。このため、第１画像MO1を表示する第１領域R1と第２画像MO2を表示する第２領域R2との設定を容易にすることができる。
【０１０６】
本実施形態では、領域設定部１０８Ａは、第１優先度係数と第２優先度係数との大きさに関する順位と、第３領域R3および第４領域R4と、の関係を定めたテーブルＴａを用いて、上述した設定処理を行う。領域設定部１０８Ａは、テーブルＴａを用いて設定処理を行うので、例えばテーブルＴａに示された関係を演算によって求める場合に比べて設定処理を容易に行うことができる。
【０１０７】
＜第２実施形態の変形例＞
＜変形例ア＞
第２実施形態においても、第１実施形態と同様に、実際に表示される画像の画像品質が高くなるほど小さくなる優先度係数が用いられてもよい。
例えば、（１）式の代わりに、（６）式が用いられてもよい。
この場合、図１６に示したテーブルＴａにおいて、優先度係数の順位を逆にする。または、領域設定部１０８Ａは、第１優先度係数と第２優先度係数のうち、値が大きい方に順位「２」を付与し、値が小さい方に順位「１」を付与する。
【０１０８】
＜第１実施形態および第２実施形態に共通する変形例＞
第１実施形態および第２実施形態は多様に変形され得る。具体的な変形の態様を以下に例示する。以下の例示から任意に選択された２以上の態様は相矛盾しない限り適宜に併合され得る。
【０１０９】
＜変形例Ａ＞
光変調装置３２は、３枚の透過型液晶パネルを用いた構成に限らない。光変調装置３２は、例えば３枚の反射型の液晶パネルを用いた構成であってもよい。また、光変調装置３２は、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等の構成であってもよい。光変調装置３２として１枚のみの液晶パネルまたはＤＭＤが用いられる場合には、分離光学系４０やクロスダイクロイックプリズム等の合成光学系３４に相当する部材は不要である。また、液晶パネルおよびＤＭＤ以外にも、光源が発した光を変調可能な構成は、光変調装置３２として採用できる。
【０１１０】
＜変形例Ｂ＞
上記実施形態では、投射面ＳＣの正面に設置されたプロジェクター１１または１１Ａが、前方に画像を投射する構成を例に挙げて説明した。しかしながら、本発明はこれに限定されるものではなく、例えば、投射面ＳＣが透過型のスクリーンとして構成され、プロジェクター１１または１１Ａが投射面ＳＣの背面側から画像を投射する構成に本発明が適用されてもよい。
【０１１１】
＜変形例Ｃ＞
本発明に係る表示装置は、投射面ＳＣに画像を投射するプロジェクターに限定されない。液晶表示パネルに画像を表示する液晶モニターまたは液晶テレビ、あるいは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も、本発明の表示装置に含まれ、入力された画像信号に基づく画像をカラー表示することができる携帯型の表示装置も本発明の表示装置に含まれる。
【０１１２】
＜変形例Ｄ＞
第１画像データや第２画像データの出力元は、ＰＣに限らず、例えば、ビデオ再生装置、ＤＶＤ（Digital Versatile Disk）再生装置、テレビチューナー装置、ビデオゲーム装置等の映像出力装置でもよい。
【０１１３】
＜変形例Ｅ＞
図１や図１５に示した各部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態において各機能部がハードウェアで実現されてもよいし、そのハードウェアの機能の一部をソフトウェアで実現してもよい。その他、プロジェクター１１の具体的な細部構成について、本発明の趣旨を逸脱しない範囲で任意に変更可能である。
【符号の説明】
【０１１４】
１１…プロジェクター、１００…表示制御装置、１０４…通信部、１０５…バッファー部、１０７…制御部、１０８…領域設定部、１０９…フレームメモリー、１１０…光変調装置駆動部、１１１…投射光学系駆動部、１１２…光源駆動部、３０…投射部、３１…照明光学系、３２…光変調装置、３３…投射光学系、ＳＣ…投射面。
【図１】
2017151184.tif 000003
【図２】
2017151184.tif 000004
【図３】
2017151184.tif 000005
【図４】
2017151184.tif 000006
【図５】
2017151184.tif 000007
【図６】
2017151184.tif 000008
【図７】
2017151184.tif 000009
【図８】
2017151184.tif 000010
【図９】
2017151184.tif 000011
【図１０】
2017151184.tif 000012
【図１１】
2017151184.tif 000013
【図１２】
2017151184.tif 000014
【図１３】
2017151184.tif 000015
【図１４】
2017151184.tif 000016
【図１５】
2017151184.tif 000017
【図１６】
2017151184.tif 000018